(57)【要約】【課題】簡易な構造で臀部をすばやく広範囲に洗浄することができる洗浄機能付き便座を提供する。【解決手段】衛生洗浄装置を備えた洋式トイレの便座であって、便器後方上部に設置された前記衛生洗浄装置を制御する本体に上下回動可能に接続された便座と、前記便座の底面かつ後方に平面略Ｌ字形で上方に向け水をシャワーする複数の噴出孔が穿設された左右ノズルが向かい合い前記便座の形状に沿って配置されるとともに前記便器のボウル内に向けスライド可能に設置された広域洗浄部と、からなることを特徴とする洗浄機能付き便座の構成とした。【選択図】図１
2014015776.tif 000002
【特許請求の範囲】
【請求項１】
衛生洗浄装置を備えた洋式トイレの便座であって、
便器後方上部に設置された前記衛生洗浄装置を制御する本体に上下回動可能に接続された便座と、
前記便座の底面かつ後方に平面略Ｌ字形で上方に向け水をシャワーする複数の噴出孔が穿設された左右ノズルが向かい合い前記便座の形状に沿って配置されるとともに前記便器のボウル内に向けスライド可能に設置された広域洗浄部と、
からなることを特徴とする洗浄機能付き便座。
【請求項２】
前記左右ノズルの便器前方側先端部が、前記便座の前後方向の略中央部に位置することを特徴とする請求項１に記載の洗浄機能付き便座。
【請求項３】
前記便座底部の前記左右ノズルが収納されたときの先端部から前記便座前方に、前記便座と便器との間からシャワーの浸みだしを防ぐストッパーを設けたことを特徴とする請求項２に記載の洗浄機能付き便座。
【請求項４】
前記衛生洗浄手段として、乾燥手段を備えることを特徴とする請求項１〜請求項３の何れか１項に記載の洗浄機能付き便座。
【請求項５】
前記左右ノズルが、前記シャワーを噴射するとき、前記スライド方向に揺動すること又は前記シャワーの噴出力が増減することを特徴とする請求項１〜請求項４の何れか１項に記載の洗浄機能付き便座。
【請求項６】
衛生洗浄手段を備えた洋式トイレの便座であって、
複数の噴出孔を備え、便座から臀部に向け、シャワーを噴出することを特徴とする洗浄機能付き便座。
【請求項７】
前記シャワーの噴出孔から温風を洗浄後の臀部に向け噴出させる乾燥手段を備えることを特徴とする請求項１〜請求項６の何れか１項に記載の洗浄機能付き便座。
【発明の詳細な説明】
【技術分野】
【０００１】
本発明は、臀部を広範囲に洗浄できる洗浄機能付き便座に関する。
【背景技術】
【０００２】
図６、７に示すように、腰掛けタイプの洋式トイレ２０には、排泄後に局部に水をシャワー２ｂして洗浄する局部水洗手段２ａ、さらに局部水洗時の水分を送風により風乾させる乾燥手段２ｃを備えている。ここでは、局部水洗手段２ａ、又は局部水洗手段２ａ及び乾燥手段２ｃを衛生洗浄装置２という。
【０００３】
洋式トイレ２０は、便器７の後方上部に本体２２が載置される。本体２２のケース８ａ内には、衛生洗浄装置２その他各種機構を駆動する、各種駆動部、機器、例えば局部水洗手段２ａ（シャワーノズル等）のボウル７ａ内への挿抜を駆動するモータ、シャワー２ｂを温調する熱交換器、乾燥手段２ｃから温風を送風するファンシステム、ボウル７ａ内の空気を吸気排気する脱臭装置、人感センサ、蓋１０の自動開閉機構等が収納される。蓋１０に内側には、閉じたとき、便座２１に当接し、衝撃を緩和する緩衝部材１０ａが備えられる。
【０００４】
洋式トイレ２０は、図６のように、水洗用の水を溜めるタンク１１を備えるものが一般的であるが、水道直結式もある。本体２２内の各種駆動部、機器は、コンセント８ｄに接続されたプラグ８ｂ及び導線８ｃを介して電気の供給を受け、本体２２に連設する操作部２３の各種スイッチで駆動制御される。
【０００５】
便座２１は、本体２２に上下回動可能に接続部８ｅで接続される。便座２１には、ヒータ等が埋設され、操作部２３のスイッチを操作することで、ヒーティングされるものが一般的である。便座２１は、図６に示す中央が開口３ｄしたＯ型、先端部が切りかけられたＵ型などがある。
【０００６】
便座２１の裏面には、図７に示すように、便座２１を降ろしたとき、便座に着座したときの衝撃を緩和する緩衝部材３ｂが複数固定されている。便器７上端と接触する部分は、クッション性のある素材でできている。
【０００７】
他方、介護現場などでは、被介護者の臀部は、オムツ内の排泄物によって広範囲に汚れる。現状の臀部の洗浄は、被介護者を浴室に誘導しシャワーで臀部を洗浄する、介護者が被介護者の臀部をタオルなどで拭くなどして行われている。
【０００８】
被介護者は、当然にそれら作業を自ら行えず、介護者がそれら洗浄を補助しなければならず、介護現場においては極めて重要な介護である一方、介護者、被介護者にとって多大な負担がかかっているのが現状である。高齢化にともない、在宅介護もますます増加することから、介護負担軽減のために、簡便な臀部の広範囲な洗浄が希求されている。
【０００９】
下痢よる広範囲の臀部の汚れを洗浄するため装置として、特許文献１などに人体局部洗浄装置が公開されている。特許文献１の人体局部洗浄装置は、人体局部の洗浄を行う衛生洗浄装置に関し、特に人体局部を広範囲にかつ衛生的に洗浄することが可能な洗浄装置であって、オートスイッチ３７の指示により、女性局部に対し前後駆動モータ２１をオート制御部４７で制御し、元電磁弁２７と水ポンプ２８を制御し、ビデ洗浄ノズル１５が女性局部に対して前から後ろに移動する時に洗浄噴流を噴射し、後ろから前に移動する時に停止し、肛門部に当たった噴流が女性局部に伝わってかかることを防止するというものである。
【００１０】
しかしながら、特許文献１等では、例え、洗浄部が揺動、前後にスライド、左右にスイングする構成のため、構造が複雑で製造費用が高くなってしまう上、洗浄時間が長い。加えて、特許文献１の洗浄手段であったとしても、介護現場の臀部の汚れ範囲をカバーするには充分でない。
【先行技術文献】
【特許文献】
【００１１】
【特許文献１】特開平９−２９６４９７号公報
【発明の概要】
【発明が解決しようとする課題】
【００１２】
そこで、本発明は、簡易な構造で臀部をすばやく広範囲に洗浄することができる洗浄機能付き便座を提供することを目的とする。
【課題を解決するための手段】
【００１３】
本発明は、上記課題を解決するため、
（１）
衛生洗浄装置を備えた洋式トイレの便座であって、
便器後方上部に設置された前記衛生洗浄装置を制御する本体に上下回動可能に接続された便座と、
前記便座の底面かつ後方に平面略Ｌ字形で上方に向け水をシャワーする複数の噴出孔が穿設された左右ノズルが向かい合い前記便座の形状に沿って配置されるとともに前記便器のボウル内に向けスライド可能に設置された広域洗浄部と、
からなることを特徴とする洗浄機能付き便座の構成とした。
（２）
前記左右ノズルの便器前方側先端部が、前記便座の前後方向の略中央部に位置することを特徴とする（１）に記載の洗浄機能付き便座の構成とした。
（３）
前記便座底部の前記左右ノズルが収納されたときの先端部から前記便座前方に、前記便座と便器との間からシャワーの浸みだしを防ぐストッパーを設けたことを特徴とする（２）に記載の洗浄機能付き便座の構成とした。
（４）
前記衛生洗浄手段として、乾燥手段を備えることを特徴とする（１）〜（３）何れかに記載の洗浄機能付き便座の構成とした。
（５）
前記左右ノズルが、前記シャワーを噴射するとき、前記スライド方向に揺動すること又は前記シャワーの噴出力が増減することを特徴とする（１）〜（４）の何れかに記載の洗浄機能付き便座の構成とした。
（６）
衛生洗浄手段を備えた洋式トイレの便座であって、
複数の噴出孔を備え、便座から臀部に向け、シャワーを噴出することを特徴とする洗浄機能付き便座の構成とした。
（７）
前記シャワーの噴出孔から温風を洗浄後の臀部に向け噴出させる乾燥手段を備えることを特徴とする（１）〜（６）の何れかに記載の洗浄機能付き便座の構成とした。
【発明の効果】
【００１４】
本発明は、便座にシャワー機構を備えるもので、従来にない洗浄方式を提供するものである。具体的には、便座底部の左右から複数の噴出孔を有する略Ｌ字形の左右ノズルがスライドして臀部下に突出して、臀部全体に洗浄水を噴出するため、短時間で臀部を広範囲に洗浄することができる。また、広範囲に洗浄水が噴出するため、便座前方底部にストッパーを設けることで、便座前方からの洗浄水の漏出を防ぐことができる。
【００１５】
さらに、便座内部に水管を通し、直接便座に複数の孔を穿設し、臀部に向け水をシャワーする構造であってもよい。
【図面の簡単な説明】
【００１６】
【図１】本発明である洗浄機能付き便座の斜視模式図である。
【図２】洗浄機能付き便座を持ち上げたときの底面模式図である。
【図３】臀部洗浄時の左右断面模式図である。
【図４】臀部洗浄時の前後断面（図３Ａ−Ａ線）模式図である。
【図５】臀部洗浄時の臀部面の模式図である。
【図６】従来の洋式トイレの斜視模式図である。
【図７】従来の洋式トイレの便座を持ち上げたときの底面模式図である。
【図８】洗浄機能付き便座の第２の実施形態の臀部洗浄時の左右断面模式図である。
【図９】洗浄機能付き便座の第３の実施形態の臀部洗浄時の前後断面模式図である。
【図１０】洗浄機能付き便座の第４の実施形態の臀部洗浄時の前後断面模式図である。
【発明を実施するための形態】
【００１７】
以下、図面に基づき本発明について詳細に説明する。なお、本発明は実施例に限定されるものではない。
【実施例１】
【００１８】
図１、２に、本発明の実施形態の一例である洗浄機能付き便座３を備える洋式トイレ１を示した。洗浄機能付き便座３は、衛生洗浄装置２を備えた従来の洋式トイレ２０の便座２１に代えて用いられ、本体８に回動可能に接続される便座３ａと、便座３ａの底部に設置された広域洗浄部４とからなる。本体８は、従来の本体２２に本発明の洗浄機能付き便座３の機能を担保する機器を内蔵する点において異なるものの、従来の衛生洗浄装置２を駆動する機器は、従来の洋式トイレ２０同様に備えている。
【００１９】
広域洗浄部４は、左右ノズル５、６と、左右ノズルを便器７のボウル７ａ内に向け挿抜するスライド機構（図示省略）と、左右ノズルにシャワー４ａ用の洗浄水を供給する水供給手段（図示省略）からなる。
【００２０】
左右ノズル５、６は、便座３ａの底面かつ後方に平面略Ｌ字形で上方に向け水をシャワー４ａする複数の噴出孔５ａ、６ａが穿設される。そして、左右ノズル５、６は、向かい合い便座の形状に沿って配置される。そして、便器７のボウル７ａ内に向けスライド可能に設置される。
【００２１】
図２に、左右ノズル５、６がボウル７ａ方向にスライドした後の様子を点線で示した。開口３ｄに孔５ａ、６ａが位置する。左右ノズル５、６からシャワー４ａを噴射するとき、左右ノズル５、６をスライド方向に揺動させることで、洗浄効率が高まるので、好ましい。
【００２２】
孔５ａ、６ａは、左右ノズルの上面のみならず、側面に設けてもよい。さらに、左右ノズルのボウル７ａ内部側の側面を、断面で底部が長い台形状に成形し、その側面部に孔５ａ、６ａを設けてもよい。孔５ａ、６ａの位置は、好適な噴射方向を得られるよう、便座３ａの形状を勘案して、適宜変更する。
【００２３】
左右ノズル５、６の便器７前方側先端部５ｄ、６ｄは、図２に示すように、便座３ａの前後方向の略中央部に位置するとよい。臀部を広範囲かつ充分にシャワー洗浄することができるとともに、大腿部を不必要にシャワー４ａで濡らさないようにすることができる。
【００２４】
左右ノズル５、６のスライド機構は、例えば、図２に示すように、スライド方向をガイドするレーン５ｃ、６ｃと、レール５ｃ、６ｃにスライド可能に取り付けた左右ノズル５、６をモータ駆動で挿抜する。モータは、本体８内、或いは便座３ａ内に収納するとよい。また、左右ノズル５、６のスライド機構は、左右ノズルを脱落することなく挿抜できれば、その機構は限定されるものではない。
【００２５】
左右ノズル５、６への水供給手段は、図２に示すように、左右ノズル５、６内に、洗浄水をチューブなどの水路５ｂ、６ｂを介して送水し、噴出孔５ａ、６ａからシャワー４ａを噴出させる。水源としては、従来の局部水洗手段２ａへの供給水経路から分岐取得しても、別途水道水、タンク１１から取得してもよい。送水ポンプについて、局部水洗手段２ａへの送水ポンプを使用しても、左右ノズル５、６からのシャワー４ａ噴出用の専用のポンプを本体８に別途設置してもよい。また、従来のシャワー２ｂと同様、シャワー４ａも本体８内の熱交換器で温調されることが好ましい。
【００２６】
例えば、シャワー４ａの水源は、局部水洗手段２ａの送水ポンプ後から後で、熱交換器も通過したところから分岐取得することで、局部水洗手段２ａの送水ポンプ、熱交換器による温調水を使用すれば、簡易かつコンパクトに従来の洋式トイレ２０の便座２１に左右ノズル５、６への水供給手段を付加することができる。
【００２７】
左右ノズル５、６からシャワー４ａを噴射するとき、シャワー４ａの噴出圧を増減するよう、送水ポンプを制御すると、臀部洗浄効果が高まるので、好ましい。
【００２８】
広域洗浄部４の駆動、即ち左右ノズル５、６のスライド及びシャワー４ａの駆動制御は、本体８に連設される操作部９の広域洗浄スイッチ９ａで行う。別途壁１３に広域洗浄部４の駆動用の広域洗浄スイッチを設けてもよい。電源は、従来同様商用電源のコンセント８ｄから供給される。  
【００２９】
便座３は、底面に左右ノズル５、６を配置することから、緩衝部材３ｂは、左右ノズルの配置、スライドを邪魔しない位置に配置することが必要である。また、左右ノズル５、６のスライドを許容するため、即ち使用者が便座３ａに腰掛けたとき、便座３ａによって左右ノズル５、６を便器７上端面に押しつけないように、一定の高さを確保する必要がある。
【００３０】
便座３には、さらに、左右ノズル５、６が収納されたときの先端部５ｄ、６ｄから便座３ａ前方に、便座３ａと便器７との間からシャワー４ａ浸みだしを防ぐため、便座３ａ底部にストッパー３ｃを設けるとよい。
【００３１】
ストッパー３ｃは、緩衝部材３ｂと同じ高さで、同じ素材でもよい。また、便器７上端と接触する部分は、クッション性があり、緩衝部材３ｂより一層密着性がよい素材で形成するとなおよい。例えば、ゴムなどが例示できる。また、汚れによる交換を考慮して、便座３ａへネジ３ｅなどで着脱可能に固定するとよい。
【００３２】
図３〜図５に臀部の洗浄エリアを示した。また図５を参照しつつ介護時の臀部洗浄方法を説明する。先ず、洗浄機能付き便座３の便座３ａに、被介護者１２を着座してもらう。このとき、両大腿部１２ｂを閉じることで、大腿部１２ｂからのシャワー４ａの漏出、噴出を抑えられる。
【００３３】
着座、大腿部１２を閉じたことを確認したら、介護者が操作部９の広域洗浄部４の起動用の広域洗浄スイッチ９ａを押す。すると、本体８内部に収納されたモータの回転駆動で、左右ノズル５、６が便座３ａの開口３ｄに向けスライドし、図２点線位置で停止する。そのとき孔５ａ、６ａは、便座３ａより内側に位置する。また、左右ノズル５、６が押し出てきたいとき、左右ノズル５、６の便器７後方端部が、接触するような長さであると、シャワー４ａの便器７後方の便器７上端と便座３ａとの間からの漏出を防止することができる。
【００３４】
左右ノズル５、６がスライドして押し出されて停止後、臀部１２ａに向けシャワー４ａ（図３〜５破線矢印）が噴出する。これにより図５に示すうに、臀部１２ａの広範囲（グレー部分）を線上することができる。
【００３５】
臀部１２ａの洗浄を充分行った後に、介護者が操作部９の広域洗浄スイッチ９ａを押すことで、シャワー４ａの噴射が終了し、左右ノズル５、６は、もとの便座３ａの底面部に収納される。なお、シャワー４ａの噴射時間は、タイマー制御にしてもよい。
【００３６】
シャワー４ａによる臀部１２ａの洗浄が、終了した後には、介護者が操作部９の乾燥手段を起動させるスイッチを押す。これにより、従来から洋式トイレ２０に装備される乾燥手段２ｃでシャワー４ａの付着水滴を吹き飛ばし、臀部１２ａを風乾させる。また、シャワー４ａの噴出孔６ａから、温風を臀部に向け噴射し、風圧で水滴を吹き飛ばし、乾燥する構成としてもよい。この場合、従来の乾燥手段のエアーを導入しても、別途温風用ファンシステムを備える構成としてもよい。また、シャワー４ａの噴出孔６ａからの風圧で洗浄後お水滴を吹き飛ばし、その後従来の乾燥手段を用いて乾燥してもよい。
【００３７】
水滴が多量に残存している場合には、介護者が被介護者１２の大腿部１２ｂの隙間から手を入れタオルなどで水滴を拭き取ればよい。その後、被介護者に起立してもらい、介護者が水分を拭き取ればよい。このような作業であれば、従来のバスでのシャワー、タオル拭きに比べ、簡易かつ短時間に作業でき、介護者、被介護者双方の負担が極めて軽減される。
【実施例２】
【００３８】
図８に、本発明である洗浄機能付き便座３０の第２の実施形態の臀部洗浄時の左右断面模式図を示した。洗浄機能付き便座３０は、実施例１の便座３ａにおいて、ボウル７ａ内の端部が下方に延設された垂下部３０ｂを備える便座３０ａとした。その他の構成、機能は、実施例１と同様である。
【００３９】
垂下部３０ｂ下方にシャワー４ａの噴出孔３０ｃを設けた。垂下部３０ｂの便器７前後方向の設置位置は、実施例１の孔５ａ、６ａの位置まである。また、便器７下方向への先端位置は、便座３０ａと便器７の上端との接触部より下方とするとよい。また、従来の衛生洗浄装置２の機能を阻害しない位置であることが望ましい。噴出孔３０ｃまで水を送る水路３０ｄは便座３０ａ内に埋設される。
【００４０】
実施例２によれば、左右ノズル５、６を用いることなく、便座にシャワー４ａの噴出孔３０ｃを設けることで、左右ノズル５、６と便座を一体にしたもので、より簡易な構造の洗浄機能付き便座３０を実現することができる。さらに、垂下部３０ｂが壁となって、便座３０ａと便器７の上端部からのシャワー４ａの漏出を防止することができる。便器７前方には、便座３０ａ下部にストッパー３ｃを設けることでシャワー４ａの漏出を防ぐ。
【実施例３】
【００４１】
図９に、本発明である洗浄機能付き便座４０の第３の実施形態の臀部洗浄時の前後断面模式図を示した。洗浄機能付き便座４０は、実施例２の便座３０ａにおいて、ボウル７ａ内の端部が便座４０ａの一周に渡って、下方に延設された垂下部４０ｂを備える便座４０ａとした。その他の構成、機能は、実施例２と同様である。
【実施例４】
【００４２】
図１０に、本発明である洗浄機能付き便座５０の第４の実施形態の臀部洗浄時の前後断面模式図を示した。洗浄機能付き便座５０は、従来の洋式トイレ２０の便座２１の上から開口３ｄに嵌めて使用されるもので、既存の洋式トイレ２０をそのまま利用して介護用の洗浄機能付き便座５０を提供するものである。
【００４３】
洗浄機能付き便座５０は、実施例３の便座４０ａおいて、本体８に回動可能に接続されない点、さらに洗浄水の供給経路、シャワー水の温調経路本体８を介さない点、さらにシャワー４ａの噴出の操作が操作部にないこと以外は同じである。それら機能は、従来の洋式トイレ２０とは別に必要である。
【符号の説明】
【００４４】
１      洋式トイレ  
２      衛生洗浄装置
２ａ    局部水洗手段
２ｂ    シャワー
２ｃ    乾燥手段
３      洗浄機能付き便座
３ａ    便座
３ｂ    緩衝部材
３ｃ    ストッパー
３ｄ    開口
３ｅ    ネジ
４      広域洗浄部
４ａ    シャワー
５      左ノズル
５ａ    孔
５ｂ    水路
５ｃ    レール
５ｄ    先端部
６      右ノズル
６ａ    孔
６ｂ    水路
６ｃ    レール
６ｄ    先端部
７      便器
７ａ    ボウル
８      本体
８ａ    ケース
８ｂ    プラグ
８ｃ    導線
８ｄ    コンセント
８ｅ    接続部
９      操作部
９ａ    広域洗浄スイッチ
１０    蓋
１０ａ  緩衝部材
１１    タンク
１２    被介護者
１２ａ  臀部
１２ｂ  大腿部
１３    壁
２０    洋式トイレ
２１    便座
２２    本体
２３    操作部
３０    洗浄機能付き便座
３０ａ  便座
３０ｂ  垂下部
３０ｃ  孔
３０ｄ  水路
４０    洗浄機能付き便座
４０ａ  便座
４０ｂ  垂下部
５０    洗浄機能付き便座
５０ａ  便座
５０ｂ  垂下部
５０ｃ  孔
５０ｄ  水路
【図１】
2014015776.tif 000003
【図２】
2014015776.tif 000004
【図３】
2014015776.tif 000005
【図４】
2014015776.tif 000006
【図５】
2014015776.tif 000007
【図６】
2014015776.tif 000008
【図７】
2014015776.tif 000009
【図８】
2014015776.tif 000010
【図９】
2014015776.tif 000011
【図１０】
2014015776.tif 000012